(57)【要約】      （修正有）【課題】過剰な摩耗を緩和するピストンリングの提供。【解決手段】内燃機関のピストンのリング溝で使用されるトップピストンリングは、上側リング面、下側リング面１７、外周リング面１１、内周リング面を有するリング本体と、合い口部を形成する第１の係合端部８は円周方向に延びる指部２３を有し、第２の係合端部９は円周方向に延びる凹部２８を有し、この凹部は、指部を摺動可能及び密封性を提供する受容形状及び大きさを有する。凹部は円周方向に基端部４６と遠端部４７とに分けられ、指部も、円周方向に基端部と遠端部とに分けられ、凹部の基端部は外周リング面及び下側リング面とに対して開いており、凹部の遠端部は、外周リング面，下側リング面，上側リング面に対して開いている。指部の基端部は、外周リング面，下側リング面，上側リング面と、少なくとも一部は面が揃っており、指部の遠端部は、外周リング面及び下側リング面と面が揃っている。【選択図】図１０
2016061439.tif 000002
【特許請求の範囲】
【請求項１】
クロスヘッド型ターボ過給式大型２ストロークユニフロー掃気内燃機関のためのトップピストンリング（４）であって、前記トップピストンリングは、ピストンリングパックの他のピストンリングと共に、前記内燃機関のピストン（１）の側壁の対応するリング溝において、前記ピストン（１）の上側の燃焼室（２）の圧力に抗して密封性を提供するために使用され、前記トップピストンリングは：
上側リング面（１６）、下側リング面（１７）、外周リング面（１１）、内周リング面（１２）を有するリング本体と、合い口部を形成する第１の係合端部（８）及び第２の係合端部（９）とを備え、前記第１及び前記第２の係合端部（８，９）は、前記トップピストンリング（４）が拡大したり縮小したりすることを可能にし、
前記第１の係合端部（８）は、円周方向に延びる指部（２３）を有し、
前記第２の係合端部（９）は、円周方向に延びる凹部（２８）であって、前記指部を摺動可能及び密封性を提供するように受け入れるような形状及び大きさを有する凹部（２８）を有し、
前記凹部（２８）は、円周方向において基端部（４６）と遠端部（４７）とに分けられ、ただし該基端部（４６）は該遠端部（４７）より前記リング本体に近い部分であり、
前記指部（２３）は、円周方向において基端部（４４）と遠端部（４５）とに分けられ、ただし該基端部（４４）は該遠端部（４５）より前記リング本体に近い部分であり、
前記凹部（２８）の前記基端部（４６）は、前記外周リング面（１１）と前記下側リング面（１７）とに対して開いており、
前記凹部（２８）の前記遠端部（４７）は、前記外周リング面（１１）と前記下側リング面（１７）と前記上側リング面（１６）とに対して開いており、
前記指部（２３）の前記基端部（４４）は、前記外周リング面（１１）及び前記下側リング面（１７）と面が揃うようにされており、
前記指部（２３）の前記基端部（４４）の少なくとも径方向外側の部分が、前記上側リング面（１６）と面が揃うようにされており、
前記指部（２３）の前記遠端部（４５）は、前記外周リング面（１１）及び前記下側リング面（１７）と面が揃うようにされている、
トップピストンリング。
【請求項２】
前記指部（２３）の前記基端部（４４）には、鉛直方向の壁部（２５）が設けられ、前記鉛直方向の壁部（２５）は、前記外周リング面（１１）と同一面上の面と、前記上側リング面（１６）と同一面上の面とを有する、請求項１に記載のトップピストンリング。
【請求項３】
前記第２の係合端部（９）は、前記鉛直方向の壁部（２５）を受け入れるための凹部（２６）を有する、請求項２に記載のトップピストンリング。
【請求項４】
前記第２の係合端部（９）の前記円周方向に延びる凹部（２８）は、鉛直方向の壁部（４２）と、第１の水平方向の壁部（３６）と、第２の水平方向の壁部（３４）によって画定され、前記第１の水平方向の壁部（３６）は、前記円周方向に延びる凹部（２８）の前記基端部（４６）において前記外周リング面（１１）と同じ広がりを有し、前記第２の水平方向の壁部（３４）は、前記円周方向に延びる凹部（２８）の前記遠端部（４７）において前記外周リング面（１１）より狭い広がりを有し、それによって、前記指部（２３）の前記基端部（４４）の前記鉛直方向の壁部（２５）を少なくとも一部受け入れるための前記凹部（２６）を形成する、請求項２または３に記載のトップピストンリング。
【請求項５】
前記指部（２３）の前記基端部（４４）の前記鉛直方向の壁部（２５）を受け入れるための前記凹部（２６）は、前記外周リング面（１１）と前記上側リング面（１６）とに対して開いている、請求項４に記載のトップピストンリング。
【請求項６】
前記トップピストンリングの前記外周面とシリンダライナとの間の圧力が、前記合い口部において、前記合い口部以外の部分よりも低くなるように、前記リング本体は完全な円形ではない、請求項１から５のいずれかに記載のトップピストンリング。
【請求項７】
焼き戻し硬化鋳造物である、請求項１から６のいずれかに記載のトップピストンリング。
【請求項８】
溶射コーティング又は電解コーティングが施された、請求項１から７のいずれかに記載のトップピストンリング。
【請求項９】
請求項１から８のいずれかに記載のトップピストンリングであって、前記燃焼室から該トップピストンリングの下側へ制御された量のガスが流れることを可能にする、少なくとも２つの漏出用の溝を備える、トップピストンリング。
【請求項１０】
前記指部（２３）の前記基端部（４６）は、前記外周リング面（１１）及び前記下側リング面（１７）のみに対して開いている、請求項１から９のいずれかに記載のトップピストンリング。
【請求項１１】
前記指部（２３）の前記遠端部（４５）は、前記外周リング面（１１）及び前記下側リング面（１７）のみに対して面が揃うようにされて、請求項１から１０のいずれかに記載のトップピストンリング。
【発明の詳細な説明】
【技術分野】
【０００１】
本発明は、クロスヘッド型ターボ過給式大型２ストロークユニフロー掃気内燃機関のためのトップピストンリングに関し、特に、ガスタイトリングを形成するための合い口部及び係合端部を有するトップピストンリングに関する。
【背景技術】
【０００２】
クロスヘッド型ターボ過給式大型２ストロークユニフロー掃気エンジンは、典型的には、船舶の推進システムや、発電プラントの原動機として用いられる。通常、これらのエンジンは、重油等の安価な燃料や、ガスで運転される。
【０００３】
エンジンのピストンにはリングパックが設けられる。リングパックは燃焼圧力を外に漏らさないようにし、それによって、燃焼ガスが掃気用のスペースに漏れていかないようにする。またピストンリングは、潤滑油の油膜を一様に分布させる働きも有する。リングパックのピストンリングは、およそ秒速１０ｍもの速度で往復運動をするピストンから、圧縮空気や燃焼ガスが漏れないようにしなければならない。シリンダ内の圧力はおよそ２５０気圧にもなり、温度を４００度にも達する。このような仕事を僅か数滴の潤滑油で行わなければならず、さらに期待される寿命は数千時間にもなる。従って、ピストンリングに対する主要な要望は、高い耐摩耗性及び耐腐食性を有し、高温環境における柔軟性の減少が少ないことである。
【０００４】
重油で運転される場合に生成される燃焼ガスは侵食性が強いため、シリンダライナの内壁は、特別なシリンダ潤滑油で潤滑される。この潤滑油は、燃焼ガスの中の侵食性の強い成分からシリンダライナの内壁を保護する。ターボ過給式大型２ストロークユニフロー掃気エンジンのピストンの直径は、２５ｃｍから１０８ｃｍにもなる。潤滑を必要とするその他の要素の大きさもかなりのものとなる。従って、この形式のエンジンのためのリングパックは、小型の４ストロークディーゼルエンジンのためのリングパックとは異なる点がある。
【０００５】
クロスヘッド型ターボ過給式大型２ストロークユニフロー掃気エンジンのリングパックは、通常四つのピストンリングを有する。トップピストンリングはＣＰＲリングである。すなわち、トップピストンリング又はピストンの溝は、圧力を逃がすための溝を有し、それによって、正確に定められ制御された高温ガスの流れが、燃焼室からトップピストンリングの下側に流れることを可能にしている。これは、トップリングをまたがる圧力低下の度合いを下げ、リングパックを構成する他のリングに負荷を分散させるためである。
【０００６】
ＷＯ０２／０７０９２６は、合い口部を有するトップピストンリングを開示している。合い口部は、リング本体の係合端部によって形成されている。一方の端部は、トップピストンリングの外周面及び下面と面が揃う指部を有している。もう一方の端部は、トップピストンリングの外周面及び下面に開口する凹部を有している。指部は凹部に摺動可能に係合する。しかし、係合した状態でも、ピストンの溝とピストンリングとの間の背部空間に燃焼ガスが自由に行き来できる通路が形成されてしまい、ガスタイト構造を達成することができない。燃焼ガスの流れは合い口部に集中するため、指部の温度が上がってしまう。指部は、シリンダライナに接触している接触面において、最も温度が低くなっている。この温度勾配は、指部を変形させ、指部の先端とシリンダライナとの間で強い接触を発生させてしまう。過剰な摩耗と指部の不具合は、トップピストンリングに不具合を生じさせてしまう。
【特許文献１】ＷＯ０２／０７０９２６
【発明の開示】
【０００７】
このような背景の下、本発明の目的は、上述の問題を解決するか、又は少なくとも緩和するピストンリングを提供することである。
【０００８】
この目的は、次のようなピストンリングを提供することによって達成される。このピストンリングは、クロスヘッド型ターボ過給式大型２ストロークユニフロー掃気内燃機関のためのトップピストンリングであって、前記トップピストンリングは、ピストンリングパックの他のピストンリングと共に、前記内燃機関のピストンの側壁の対応するリング溝において、前記ピストンの上側の燃焼室の圧力に抗して密封性を提供するために使用される。
前記トップピストンリングは、上側リング面、下側リング面、外周リング面、内周リング面を有するリング本体と、合い口部を形成する第１の係合端部及び第２の係合端部とを備え、
前記第１及び前記第２の係合端部は、前記トップピストンリングが拡大したり縮小したりすることを可能にし、
前記第１の係合端部は円周方向に延びる指部を有し、
前記第２の係合端部は、円周方向に延びる凹部であって、前記指部を摺動可能及び密封性を提供するように受け入れるような形状及び大きさを有する凹部を有し、
前記凹部は、円周方向において基端部と遠端部とに分けられ、ただし該基端部は該遠端部より前記リング本体に近い部分であり、
前記指部も、円周方向において基端部と遠端部とに分けられ、ただし該基端部は該遠端部より前記リング本体に近い部分であり、
前記凹部の前記基端部は、前記外周リング面と前記下側リング面とに対して開いており、
前記凹部の前記遠端部は、前記外周リング面と前記下側リング面と前記上側リング面とに対して開いており、
前記指部の前記基端部は、前記外周リング面及び前記下側リング面と面が揃うようにされており、
前記指部の前記基端部の少なくとも径方向外側の部分が、前記上側リング面と面が揃うようにされており、
前記指部の前記遠端部は、前記外周リング面及び前記下側リング面と面が揃うようにされている。
【０００９】
トップピストンリングの上面と面が揃う、鉛直方向の壁部又は肩部を第１の係合端部の指部に設け、他方の係合端部に対応する凹部を設けることにより、合い口部付近のガスの流れを制限することが可能になる。従って、ガスの流れや、加えられる熱が、トップピストンリングの全周に亘って分散される。これは、合い口部が過熱することを防ぐ。
【００１０】
上記トップピストンリングの第１の可能な実装形態では、前記指部の前記基端部には、鉛直方向の壁部が設けられ、前記鉛直方向の壁部は、前記外周リング面と同一面上の面と、前記上側リング面と同一面上の面とを有する。
【００１１】
上記トップピストンリングの第２の可能な実装形態では、前記第２の係合端部に、肩部を受容するための凹部が設けられる。
【００１２】
上記トップピストンリングの第３の可能な実装形態では、前記第２の係合端部の前記円周方向に延びる凹部は、鉛直方向の壁部と、第１の水平方向の壁部と、第２の水平方向の壁部によって画定され、前記第１の水平方向の壁部は、前記円周方向に延びる凹部の前記基端部において前記外周リング面と同じ広がりを有し、前記第２の水平方向の壁部は、前記円周方向に延びる凹部の前記遠端部において前記外周リング面より狭い広がりを有し、それによって、前記指部の前記基端部の前記鉛直方向の壁部を少なくとも一部受け入れるための前記凹部を形成する。
【００１３】
上記トップピストンリングの第４の可能な実装形態では、前記凹部は、内周面及び外周面に開口する。
【００１４】
上記トップピストンリングの第５の可能な実装形態では、前記トップピストンリングの前記外周面とシリンダライナとの間の圧力が、前記合い口部において、前記合い口部以外の部分よりも低くなるように、前記リング本体が完全な円形ではない。
【００１５】
上記トップピストンリングの第６の可能な実装形態では、上記トップピストンリングは焼き戻し硬化鋳造物である。
【００１６】
上記トップピストンリングの第７の可能な実装形態では、上記トップピストンリングには、溶射コーティング又は電解コーティングが施される。
【００１７】
上記トップピストンリングの第８の可能な実装形態では、上記トップピストンリングには、前記燃焼室から該トップピストンリングの下側へ制御された量のガスが流れることを可能にする、少なくとも２つの漏出用の溝が設けられる。
【００１８】
上記トップピストンリングの第９の可能な実装形態では、前記第２の係合端部から前記凹部へと、水平方向の壁部が突出する。この水平方向の壁部は、前記第２の係合端部の先端部を強くし安定させる働きを有する。
【００１９】
上記トップピストンリングの第１０の可能な実装形態では、前記凹部の前記基端部は、前記外周リング面及び前記下側リング面にのみ開口する。
【００２０】
上記トップピストンリングの第１１の可能な実装形態では、前記指部の前記遠端部は、前記外周リング面及び前記下側リング面とのみ、面が揃っている。
【００２１】
本明細書の開示に従う機関や方法の目的や特徴、利点、性質は、以下の詳細説明により、更に明らかになるだろう。
【図面の簡単な説明】
【００２２】
本明細書の以下の詳細説明部分においては、図面に示される例示的な実施形態を参照して発明がより詳細に説明される。
図１は、シリンダライナに装入されたピストンの一部の断面を表したものである。４本のピストンリングを有するリングパックが描かれている。
図２は、シリンダライナに装入されたピストンの一部の断面を、倍率を上げて表したものである。５本のピストンリングを有するリングパックが描かれている。
図３は、負荷条件下におけるピストンリングの上面図である。
図４は、図３を横から見た図である。
図５は、図３のリングにおける圧力逃がし溝付近の側面図であり、図６は、図３のリングにおける圧力逃がし溝付近の上面図である。
図７から１１は、本発明のある実施形態に従うトップピストンリングの斜視図である。合い口部を中心に描いている。図９は、一方の係合端部を詳しく描き、図１０は、他方の係合端部を詳しく描いている。
図１２から１４は、本発明の別の実施形態に従うトップピストンリングの斜視図である。合い口部を中心に描いている。
【好適な実施形態の詳細説明】
【００２３】
図１及び２には、ピストン１が描かれている。その円筒状の側壁には、いくつかのリング溝３が設けられ、一番上の溝３にはトップピストンリング（トップリング）４が装着され、その下の溝３にはトップリング４以外のピストンリングが装着されている。一つのピストン１に取り付けられるトップリング４とその下の複数のピストンリング６は、合わせてリングパックと呼ばれ、協働して動作する。ピストン１と、シリンダライナ７及びシリンダカバー５は、一緒に、クロスヘッド型ターボ過給式大型２ストロークユニフロー掃気エンジンの燃焼室２を画定する。（図１のシリンダカバー５には排気弁が描かれていないが、通常通り排気弁は存在するものと理解されたい。）
【００２４】
ピストンリング４，６は、燃焼室２のガス圧がピストン１の下部空間に漏出することを防止する。
【００２５】
図３及び４は、合い口部を有するトップピストンリング４の例示的実施形態を描いたものである。合い口部はガスの流れを十分に遮断するように構成される。トップリング４は環状の部材であり、また合い口部を有する。この合い口部は、トップリング４が使用により摩耗するにつれ、係合端部８，９が互いに離れることを可能にし、従ってトップリング４がリング溝３に装着された状態で、その直径を拡大することを可能にする。
【００２６】
図５及び６に描かれるように、ある実施形態において、ピストンリングの側壁１１には、四つの圧力逃がし溝１５が設けられる。これらの溝は、トップリング４の面に対して斜めに角度を付けて設けられる。圧力逃がし溝は、定められた量のガスがトップリング４の上面から下面に流れることを可能にする。それぞれの溝１５を通じて、一様且つ制限されたガスの流れが存在することができる。
【００２７】
リング溝３の外側のリムが破線１０で示されている。トップリング４の外周面１１は、これらの図には図示されていないシリンダライナに接触する。
【００２８】
実施形態によっては、圧力逃がし溝はトップリング４に設けられない。その代わり、圧力逃がし構造が、例えば、ピストンに設けられる溝によって提供されてもよい（図示していない）。また、実施形態によっては、トップリング４は、決められた漏出が存在しないような状況でも正しく働くようにされてもよい。すなわち、トップピストン４が、ピストン１の動作中の圧力差に完全に耐えるようなガスタイトリングとして構成されるような実施形態もありうる。
【００２９】
図７から１１に描かれるように、トップリング４の一方の係合端部８は、トップリング４の円周に沿うように延設される指部２３を有する。またトップリング４の他方の係合端部９は、指部２３に対応する凹部２８を有する。凹部２８もトップリング４の円周に沿うように延設される。指部２３は凹部２８の中へ突出するように設けられる。トップリング４の円周に沿うように延設される凹部２８の形状及び大きさは、指部２３を摺動可能に受け入れ、また受け入れた状態で密封性が提供されるように、定められる。
【００３０】
トップリング４の径方向において、指部２３の寸法は、トップリング４の寸法よりも小さい。またトップリング４の径方向において、凹部２８は、指部２３の内側に隣接する鉛直方向の壁部４２によって、トップリング４の内側で画定されている。
【００３１】
トップリング４の軸方向においても、指部２３の寸法は、トップリング４の寸法よりも小さい。またトップリング４の軸方向において、凹部２８は、水平方向の壁部３６によってその上端が画定される。水平方向の壁部３６の下面は指部２３の上面に隣接する。指部２３は、その幅及び高さ方向において、凹部２８を埋めることができる。このため、燃焼ガスがピストン１の下の空間に流れることを防ぐことができる。これは、指部２３の末端部２９と凹部２８の末端部３３との間が（円周方向に）離れていても同様である。
【００３２】
凹部２８は、円周方向に、基端部４６と遠端部４７とに分けることができる。基端部４６はトップリング４の本体に近い部分である。
【００３３】
同様に、指部２３は、円周方向に、基端部４４と遠端部４５とに分けることができる。基端部４４はトップリング４の本体に近い部分である。
【００３４】
凹部２８の基端部４６は、トップリングの外周面１１と下面１７とに対して開いている。凹部２８の基端部４６は、鉛直方向の壁部４２と水平方向の壁部３６によって画定されている。凹部２８の円周方向は、端壁３３によって画定されている。
【００３５】
図７から１１に描かれる実施形態においては、凹部２８は、円周上に遠端部である４７において、凹部２６によって延長される。凹部２６は、トップリングの外周面１１と上面１６とに対して開いており、また凹部２８につながっている。従って、凹部２８の遠端部４７は、トップリングの外周面１１、下面１７、および上面１６に対して開いている。凹部２８の遠端部４７において、水平方向の壁部３４は、鉛直方向の壁部４２から突出し、凹部２６まで延びている。水平方向の壁部３４は、第２の係合端部９の先端部を強くし安定させる働きを有する。このように、凹部２８は鉛直方向の壁部４２と、水平方向の壁部３４，３６によって画定される。水平方向の壁部３６は、凹部２８の基端部４６においてトップリングの外周面１１と同じひろがりを有する。一方、水平方向の壁部３４は、凹部２８の遠端部４７において、トップリングの外周面１１より狭い幅しか有さない。これは凹部２６を形成するためである。凹部２６には、鉛直方向の壁２５が、少なくとも一部受け入れられる。
【００３６】
指部２３の基端部４４の径方向の広がりの外周部の少なくとも一部において、指部２３の基端部４４の軸方向の高さはピストンリングの高さと等しい。従って、指部２３の基端部４４は、ピストンリングの外周面１１及び下面１７と面が揃うことになり、また、少なくとも一部で上面１６と面が揃う。上面１６と面が揃う部分は直立する壁部２５になっている。直立した壁部２５は、幅及び高さ方向において凹部２６を埋める、追加の指部を形成する。従って、合い口部を通じてガスが流れることを防ぐ追加のバリアを形成する。凹部２６により形成される、鉛直方向の壁部２５の径方向内側の面２７と、当該面２７に隣接する壁部３４の壁面との重なり合いにより、特に、合い口部を通じてトップリング４の内側に入り込む流れが妨げられる。
【００３７】
指部２３の遠端部４５の面は、トップリングの外周面１１及び下面１７と同一平面上にあると考えてよい。従って、指部２３の遠端部４５の高さ及び幅は、トップリング本体の高さ及び幅よりも小さい。指部２３の遠端部の内壁及び上壁は、第２の係合端部９の水平壁３６及び鉛直壁４２と、密封性を提供するように、及び摺動可能に、係合する（または接触する）。
【００３８】
突出する指部２３は、軸方向の高さがリング本体と同じである基端部４４と、軸方向の高さがリング本体より低い遠端部４５とを有する。このような指部を一方の端部に有し、他方の端部９に対応する凹部を有する合い口部は、実質的にガスタイト構造を実現し、係合端部上の負荷耐性を強化する。
【００３９】
図１２から１４は、トップリング４の別の実施形態を描いている。これらの実施形態も、図７から１１に示した実施形態と基本的には同一であるが、第１の係合端部８の指部２３の基端部４４が、その径方向の広がりの全体に亘って、リング本体と等しい高さを有する点が異なる。このため、直立した壁部２５ではなく、肩部２５を形成する。また、凹部２６は、肩部２５を受け入れるために、幅が広くなっている。
【００４０】
一般的に、リングパックの全てのピストンリング４，６は、円形には製造されない。そのような形状の必要とされる理由は、ピストンリングが円筒状のシリンダライナ７に装着されたときに、規定された正確な圧力を、円周全体に亘って及ぼすことができるようにするためである。この圧力は、理想的には、円周全体に亘って等しく分散することができる。しかし、ターボ過給式大型２ストロークユニフロー掃気内燃機関のピストン１で使用されるトップピストン４には、一般的に、ネガティブな楕円形状が与えられる。これは、円周上の圧力が、合い口部で低くなるようにするためである。それによって、運転中に合い口部に印加される圧力が強くなり過ぎないようにする。
【００４１】
ある実施形態において、トップリング４は、最も上のリング溝で使用されるために、バーミキュラ黒鉛を入れて焼き戻し硬化鋳造物として形成される。一方、他のリング溝に嵌められるピストンリングは、ラメラ黒鉛を入れた非硬化合金鋳造物として形成される。
【００４２】
ある実施形態において、トップリング４には、溶射コーティング又は電解コーティングが施される。ある実施形態において、トップリング４の（外周面の）形状は、非対称的な凸状の滑走面を呈する。
【００４３】
ある実施形態において、リングパックは次のピストンリングを含む。
・  トップリング：  非対称的な樽型形状を有し、二層コーティングが施され、側面にクロムコーティングが施される。
・  セカンドリング：  非対称的な樽型形状を有し、流し込みコーティング（running-in coating）が施され、側面にクロムコーティングが施される。
・  サードリング：  非対称的な樽型形状を有し、流し込みコーティングが施される。
・  第４リング：  非対称的な樽型形状を有し、二層コーティングが施される。
【００４４】
別の実施形態において、リングパックは次のピストンリングを含む。
・  トップリング：  非対称的な樽型形状を有し、側面にクロム・コバルトコーティングが施される。
・  トップリング以外のリング：  非対称的な樽型形状を有し、クロム・コバルトコーティングが施される。
【００４５】
特許請求の範囲において使用される「備える」「有する」「含む」との語句は、その他の要素やステップが含まれることを除外しない。特許請求の範囲において単数で記載されている要素であっても、それが複数供えられることを除外しない。特許請求の範囲に記載されるいくつかの手段の機能は、単一のプロセッサ又は他のユニットによって遂行されてもよい。
【００４６】
特許請求の範囲で使用されている符号は発明の範囲を限定するものと解釈されてはならない。
【００４７】
例示のために本発明を詳細に説明してきたが、これらの詳細説明は例示の目的のためだけに提供されたものであって、本発明の範囲を逸脱せずに当業者により様々な変形がなされうる。
【図１】
2016061439.tif 000003
【図２】
2016061439.tif 000004
【図３】
2016061439.tif 000005
【図４】
2016061439.tif 000006
【図５】
2016061439.tif 000007
【図６】
2016061439.tif 000008
【図７】
2016061439.tif 000009
【図８】
2016061439.tif 000010
【図９】
2016061439.tif 000011
【図１０】
2016061439.tif 000012
【図１１】
2016061439.tif 000013
【図１２】
2016061439.tif 000014
【図１３】
2016061439.tif 000015
【図１４】
2016061439.tif 000016
【手続補正書】
【提出日】平成27年10月22日(2015.10.22)
【手続補正１】
【補正対象書類名】明細書
【補正対象項目名】００２２
【補正方法】変更
【補正の内容】
【００２２】
本明細書の以下の詳細説明部分においては、図面に示される例示的な実施形態を参照して発明がより詳細に説明される。
【図１】シリンダライナに装入されたピストンの一部の断面を表したものである。４本のピストンリングを有するリングパックが描かれている。
【図２】シリンダライナに装入されたピストンの一部の断面を、倍率を上げて表したものである。５本のピストンリングを有するリングパックが描かれている。
【図３】負荷条件下におけるピストンリングの上面図である。
【図４】図３を横から見た図である。
【図５】図３のリングにおける圧力逃がし溝付近の側面図である。
【図６】図３のリングにおける圧力逃がし溝付近の上面図である。
【図７】本発明のある実施形態に従うトップピストンリングの斜視図である。合い口部を中心に描いている。
【図８】本発明のある実施形態に従うトップピストンリングの斜視図である。合い口部を中心に描いている。
【図９】本発明のある実施形態に従うトップピストンリングの斜視図である。合い口部を中心に描いている。一方の係合端部を詳しく描いている。
【図１０】本発明のある実施形態に従うトップピストンリングの斜視図である。合い口部を中心に描いている。他方の係合端部を詳しく描いている。
【図１１】本発明のある実施形態に従うトップピストンリングの斜視図である。合い口部を中心に描いている。
【図１２】本発明の別の実施形態に従うトップピストンリングの斜視図である。合い口部を中心に描いている。
【図１３】本発明の別の実施形態に従うトップピストンリングの斜視図である。合い口部を中心に描いている。
【図１４】本発明の別の実施形態に従うトップピストンリングの斜視図である。合い口部を中心に描いている。
【外国語明細書】
2016061439000001.pdf